(57)【特許請求の範囲】
【請求項１】
剪断補強の施工面の逆側の面に施工面より高圧の流体圧が負荷されている構造物の壁に形成された貫通孔を修復する貫通孔修復工法であって、
前記貫通孔の先端側に向かって漸次拡径するテーパ状に形成されるインナー部材と、前記インナー部材を外周から押圧するように設けられ、前記インナー部材の引込によって放射状に拡開可能なアウター部材と、前記インナー部材の先端側に取り付けられる栓体とから構成される閉塞プラグを用い、前記閉塞プラグを、前記インナー部材の後側に着脱自在に連結する押込棒で前記貫通孔の先端近傍まで押し込む第１工程と、
前記閉塞プラグを前記貫通孔の先端近傍に配置し、前記栓体を前記貫通孔から抜け出させ、前記栓体を前記貫通孔の先端外側で拡大させる第２工程と、
前記押込棒を後退させて前記インナー部材を前記アウター部材内に引き込み、前記栓体が前記貫通孔内に突出するようにして、前記栓体で前記貫通孔の先端開口を閉塞すると共に、前記アウター部材を拡開して前記壁に食い込ませる第３工程と、
前記押込棒の連結を外して前記貫通孔から前記押込棒を回収する第４工程と、
前記貫通孔内の前記閉塞プラグの後側に充填材カプセルを挿入する第５工程と、
前記貫通孔内に剪断補強材を挿入して前記充填材カプセルを破断させ、前記貫通孔内に充填材を充填して固化させる第６工程と、
を備えることを特徴とする貫通孔修復工法。
【請求項２】
前記第３工程において、前記貫通孔内に挿入される筒状のスペーサーで前記アウター部材の後端部を押さえながら前記押込棒を後退させて前記アウター部材を拡開し、
前記第４工程において、前記貫通孔から前記スペーサーを回収することを特徴とする請求項１記載の貫通孔修復工法。
【発明の詳細な説明】
【技術分野】
【０００１】
本発明は、片面側で水等と接触する構造物の壁に施工面側から穿孔して剪断補強を施す際に、孔を貫通してしまった場合に貫通孔を閉塞し、水等が貫通孔から施工面側に流入することを防止する閉塞プラグを用いる貫通孔修復工法に関する。
【背景技術】
【０００２】
従来、構造物の壁に剪断補強を施す工法として、ドリル等の回転工具を用いて、壁の内部に向かって有底の剪断補強材挿入用の長孔を形成し、長孔の内部に剪断補強材を挿入配置し、長孔と剪断補強材との隙間に充填材を充填固化するものが知られている。この工法における、充填材の充填は、長孔に剪断補強材を挿入した後に、長孔の隙間にモルタルを圧入して充填するか、或いはモルタル若しくは流動性硬化樹脂を収容した細長の充填材カプセルを長孔内に配置し、剪断補強材を打設して剪断補強材の先端部で充填材カプセルを突き破って充填することにより行われる（特許文献１参照）。
【先行技術文献】
【特許文献】
【０００３】
【特許文献１】特許第３９３２０９４号公報
【発明の概要】
【発明が解決しようとする課題】
【０００４】
ところで、上記剪断補強を構造物の壁に施工する際には、剪断強度を高めるべく、構造物の壁になるべく深く長孔を形成し、剪断補強材の挿入配置と充填材の充填固化を行うことが望ましいが、長孔を深く穿孔し過ぎて誤って貫通させてしまう場合がある。長孔が壁を貫通して貫通孔になると、構造物の壁が上下水道処理施設の水槽や沈埋トンネルなど施工面と逆側で水と接触する構造物の壁である場合に、貫通孔から施工面側に水が流入して噴出する事態が生じ、剪断補強工事の作業を継続することができなくなる。
【０００５】
この様な貫通孔が形成されたときには、構造物の壁の施工面側において、長孔に止水プラグを差し込んで長孔の開口を閉塞し、噴出する水を止める対処が行われている。しかしながら、長孔の施工面近傍位置で止水プラグにより水を止めた長孔には、剪断補強材の挿入や充填材の充填固化を行うことができず、剪断補強用の長孔として使用することは困難となる。そのため、別途に剪断補強用の長孔を形成して剪断補強を行う必要が生じ、剪断補強の施工作業の効率性が低下し、施工コストが増加するという問題がある。
【０００６】
本発明は上記課題に鑑み提案するものであって、構造物の壁が施工面と逆側で水等の流体と接触する構造物の壁である場合に、剪断補強用の長孔を誤って貫通させたときに、貫通孔から施工面側に水等の流体が噴出することを確実に防止することができると共に、貫通した長孔を剪断補強用の長孔として使用することを可能にし、剪断補強工事の作業効率の向上と施工コストの低減を図ることができる閉塞プラグを用いる貫通孔修復工法を提供することを目的とする。
【課題を解決するための手段】
【０００７】
本発明の貫通孔修復工法は、剪断補強の施工面の逆側の面に施工面より高圧の流体圧が負荷されている構造物の壁に形成された貫通孔を修復する貫通孔修復工法であって、前記貫通孔の先端側に向かって漸次拡径するテーパ状に形成されるインナー部材と、前記インナー部材を外周から押圧するように設けられ、前記インナー部材の引込によって放射状に拡開可能なアウター部材と、前記インナー部材の先端側に取り付けられる栓体とから構成される閉塞プラグを用い、前記閉塞プラグを、前記インナー部材の後側に着脱自在に連結する押込棒で前記貫通孔の先端近傍まで押し込む第１工程と、前記閉塞プラグを前記貫通孔の先端近傍に配置し、前記栓体を前記貫通孔から抜け出させ、前記栓体を前記貫通孔の先端外側で拡大させる第２工程と、前記押込棒を後退させて前記インナー部材を前記アウター部材内に引き込み、前記栓体が前記貫通孔内に突出するようにして、前記栓体で前記貫通孔の先端開口を閉塞すると共に、前記アウター部材を拡開して前記壁に食い込ませる第３工程と、前記押込棒の連結を外して前記貫通孔から前記押込棒を回収する第４工程と、前記貫通孔内の前記閉塞プラグの後側に充填材カプセルを挿入する第５工程と、前記貫通孔内に剪断補強材を挿入して前記充填材カプセルを破断させ、前記貫通孔内に充填材を充填して固化させる第６工程とを備えることを特徴とする。
この構成によれば、貫通孔の先端開口を栓体で閉塞して貫通孔内への漏水を防止し、更に、インナー部材と拡開されるアウター部材と充填材により、仮に栓体の閉塞から貫通孔内に漏水した水等があったとしてもその漏水がインナー部材を押せばその分だけアウター部材の拡開力が増して貫通孔を一層確実に止水するため、僅かの漏水でも施工面側に流れることを確実に防止できる。従って、構造物の壁が施工面と逆側で水等の流体と接触する構造物の壁である場合に、剪断補強用の長孔を誤って貫通させたときに、貫通孔から施工面側に水等の流体が噴出することをより確実に防止することができる。また、貫通孔を先端近傍で閉塞することが可能であり、貫通した長孔を剪断補強用の長孔として再使用することを可能にし、剪断補強工事の作業効率の向上と施工コストの低減を図ることができる。更に、インナー部材に着脱自在に連結される押込棒によって閉塞プラグを貫通孔の所要位置に素早く容易に配置することができ、且つ配置後には押込棒を回収して容易に貫通孔の剪断補強工事を行うことが可能となる。
【０００８】
本発明の貫通孔修復工法は、前記第３工程において、前記貫通孔内に挿入される筒状のスペーサーで前記アウター部材の後端部を押さえながら前記押込棒を後退させて前記アウター部材を拡開し、前記第４工程において、前記貫通孔から前記スペーサーを回収することを特徴とする。
この構成によれば、貫通孔の孔径よりアウター部材の外径が小さい場合にも、アウター部材の回転や位置ズレを防止し、インナー部材のスムーズな引き込みやアウター部材の所定位置での拡開を行うことができる。
【発明の効果】
【０００９】
本発明によれば、構造物の壁が施工面と逆側で水等の流体と接触する構造物の壁である場合に、剪断補強用の長孔を誤って貫通させたときに、貫通孔から施工面側に水等の流体が噴出することを確実に防止することができると共に、貫通した長孔を剪断補強用の長孔として使用することを可能にし、剪断補強工事の作業効率の向上と施工コストの低減を図ることができる。
【図面の簡単な説明】
【００１０】
【図１】剪断補強される壁を有する貯水槽の縦断面図。
【図２】壁の剪断補強工事で穿孔した長孔に充填材カプセルを挿入した状態を示す断面説明図。
【図３】壁の剪断補強工事で長孔に剪断補強材を挿入して長孔内に充填材を充填した状態を示す断面説明図。
【図４】第１実施形態の閉塞プラグによる貫通孔修復構造が設けられた構造物の壁を示す縦断面図。
【図５】（ａ）は第１実施形態の閉塞プラグの正面図、（ｂ）はそのアウター部材の正面図、（ｃ）はそのアウター部材の側面図、（ｄ）はそのインナー部材の正面図、（ｅ）はそのインナー部材の側面図。
【図６】（ａ）は貫通孔修復工法において壁に誤って貫通してしまった貫通孔を示す説明図、（ｂ）はその貫通孔に第１実施形態の閉塞プラグが挿入される状態を示す説明図、（ｃ）は貫通孔に挿入された押込棒をナットで回転する状態を示す説明図、（ｄ）はアウター部材の拡開を示す説明図。
【図７】（ａ）は貫通孔修復工法において埋込棒とスペーサーの回収を示す説明図、（ｂ）は埋込棒とスペーサーの回収後の閉塞プラグを示す説明図、（ｃ）は長孔内への充填材カプセルの挿入を示す説明図、（ｄ）は長孔内への剪断補強材の挿入及び充填材カプセルの破断を示す説明図、（ｅ）は長孔内に充填材が充填されて剪断補強が完了した状態を示す説明図。
【図８】（ａ）は第１実施形態の閉塞プラグに押込棒を螺合した状態を示す正面図、（ｂ）はスペーサーを示す正面図。
【図９】（ａ）は第１実施形態の閉塞プラグに押込棒を螺合したアウター部材の拡開前の状態を示す縦断面図、（ｂ）はその拡開後の状態を示す縦断面図。
【図１０】（ａ）は第２実施形態の閉塞プラグの正面図、（ｂ）は第３実施形態の閉塞プラグの正面図。
【発明を実施するための形態】
【００１１】
〔第１実施形態の閉塞プラグを用いる貫通孔修復工法〕
次に、本発明による第１実施形態の閉塞プラグを用いる貫通孔修復工法について説明する。
【００１２】
第１実施形態の閉塞プラグによる貫通孔修復構造は、剪断補強の施工面の逆側の面に水等の流体で施工面より高圧の流体圧が負荷されている構造物の壁に剪断補強構造を設ける際に、剪断補強材挿入用の長孔を誤って貫通してしまった場合に設けられる。その構造物の例としては、例えば図１に示す貯水槽１０が挙げられる。貯水槽１０は、箱形の本体１１の上板１２に流通孔１３が設けられた形状であり、四方をコンクリート壁である壁１４で囲まれ、内部には流体である水Ｗが収容されている。壁１４の外側面は剪断補強の施工面１４１であり、その逆側の面である内側面１４２には水Ｗの水圧が負荷され、大気圧が負荷されている施工面１４１より高圧の流体圧が負荷されている。
【００１３】
壁１４に設けられる剪断補強構造では、図２〜図４に示すように、ドリル等の回転工具により、施工面１４１から壁１４の内部に向かって有底の剪断補強材挿入用の長孔２１が複数形成され、各長孔２１の内部にモルタル若しくは流動性硬化樹脂を収容した細長の充填材カプセル２２が配置され、長孔２１に打設される剪断補強材２３の先端部で充填材カプセル２２を突き破って長孔２１内に充填材２４が充填固化される。
【００１４】
図示例の充填材カプセル２２は、水を内部に吸水可能であり、充填材２４としてドライセメントモルタルが内部に収容されている。この充填材カプセル２２は、貯水トレー３１内の水Ｗ１に浸漬され、充填材２４に吸水させた後、長孔２１内に挿入配置される。その後、ハンマー等により異形棒鋼等からなる剪断補強材２３が長孔２１内に打設され、剪断補強材２３の先端部で充填材カプセル２２を破断して充填材２４を流出させ、剪断補強材２３が長孔２１内に配置されると共に、長孔２１と剪断補強材２３との間の隙間にセメントモルタルの充填材２４が充填され固化される。
【００１５】
そして、誤って長孔２１を内側面１４２まで貫通させて貫通孔４１を形成してしまった場合には、貫通孔４１の先端近傍に止水プラグとして閉塞プラグ５０を配置させて貫通孔４１を閉塞すると共に、貫通孔４１内の閉塞プラグ５０の後側において、浸漬された充填材カプセル２２を挿入配置し、異形棒鋼等からなる剪断補強材２３を貫通孔４１内に打設し、剪断補強材２３の先端部で充填材カプセル２２を破断して充填材２４を流出させ、剪断補強材２３を貫通孔４１内に配置すると共に、貫通孔４１と剪断補強材２３との間の空隙にセメントモルタルの充填材２４を充填固化させることにより、貫通孔４１の修復と剪断補強材２３の打設を同時に行う。
【００１６】
閉塞プラグ５０は、図５及び図９に示すように、貫通孔４１の先端側に向かって漸次拡径するテーパ状に形成されている略截頭円錐形のインナー部材５１と、インナー部材５１の小径側の後部の外周に設けられ、インナー部材５１を外周から押圧するように係合されている略円筒状のアウター部材５２と、インナー部材５１の先端側に取り付けられている円盤状の栓体５３を有する。
【００１７】
インナー部材５１は、前部に小径の雌ねじ５１１が形成されており、後部には雌ねじ５１１よりも大径の雌ねじ５１２が形成されている。雌ねじ５１１には、円盤状の栓体５３の中央を貫通する取付ボルト５４の雄ねじ５４１が螺合されて、栓体５３がインナー部材５１の先端側に取り付けられている。後側の雌ねじ５１２には、貫通孔４１の先端側に閉塞プラグ５０を押し込む押込棒６０の前側雄ねじ６１を螺合して押込棒６０が着脱自在に連結される（図６〜図９参照）。
【００１８】
アウター部材５２は、インナー部材５１の引込によって放射状に拡開可能になっており、複数の弧状板５２１が筒状になるように配置され、その配置状態で周状部材であるコイルスプリング５２４で結束して構成されている。
【００１９】
弧状板５２１は、内側前部に前方に向かって拡がるように傾斜する傾斜面５２２を有し、周状に配置された弧状板５２１の傾斜面５２２でインナー部材５１のテーパ状の外周面を押圧するようになっている。また、弧状板５２１の外周には筒状に配置したときに螺旋溝５２３を形成する溝が設けられており、この螺旋溝５２３にコイルスプリング５２４が沿うように嵌め込まれ、コイルスプリング５２４によって筒状配置の各弧状板５２１が結束されている。螺旋溝５２３及びコイルスプリング５２４はアウター部材５２の略全長に亘って設けられ、筒状配置の各弧状板５２１は略全長に亘って結束されている。
【００２０】
栓体５３は、中央に取付ボルト５４が貫通された円盤状であり、貫通孔４１の先端側への閉塞プラグ５０の押し込みに応じて貫通孔４１内に挿入され、抜け出た貫通孔４１の先端外側で拡大し、貫通孔４１の先端開口４１１を閉塞可能になっている。栓体５３は、例えばクロロプレンゴム等の弾性を有する素材で形成され、栓体５３の貫通孔４１の先端開口４１１に対応する部位が貫通孔４１の内側に突出するように変形可能になっている。
【００２１】
尚、栓体５３は、上記先端開口４１１の閉塞及び貫通孔４１内への突出変形が可能なものであれば適宜であり、例えばクロロプレンゴム以外或いはクロロプレンゴムと他の素材を組み合わせた水膨張ゴム、吸水性ポリマー、又は水膨張ゴムと吸水性ポリマーを組み合わせた素材、又は水で膨張するベントナイト等の素材で形成することが可能である。
【００２２】
閉塞プラグ５０は、上述の埋込棒６０の後退によってインナー部材５１を後退させ、栓体５３を貫通孔４１内に突出するようにして栓体５３で先端開口４１１を閉塞すると共に、アウター部材５２内に引き込むことが可能であり、インナー部材５１の引込によりアウター部材５２を拡開させ、アウター部材５２の外周面、或いはアウター部材５２の外周面とコイルスプリング５２４を壁１４内に食い込ませることが可能である。
【００２３】
次に、第１実施形態の閉塞プラグ５０による貫通孔修復工法の詳細な施工手順について説明する。
【００２４】
前提として、この貫通孔修復工法は、図６（ａ）に示すように、貯水槽１０の壁１４に剪断補強材挿入用の長孔２１を形成する際に、本来の孔底１４３より前方に穿孔して誤って貫通させ、貫通孔４１を形成してしまった場合に貫通孔４１を修復するために行われる。壁１４の内側面１４２には水Ｗの水圧Ｐが負荷され、大気圧が負荷されている施工面１４１より高圧の流体圧が負荷されていることから、貫通孔４１をそのままにすると貫通孔４１内に水が浸入して施工面１４１側から漏水ＬＷが漏れる。
【００２５】
この漏水ＬＷを防ぐために閉塞プラグ５０を貫通孔４１の先端近傍まで押し込む。閉塞プラグ５０を押し込む際には、図６（ｂ）及び図８に示すように、インナー部材５１の後側の雄ねじ５１２に押込棒６０の前側雄ねじ６１が螺合され、閉塞プラグ５０に押込棒６０が着脱自在に連結される。押込棒６０は、前側の端部と後側の端部にそれぞれ前側雄ねじ６１と後側雄ねじ６２が形成されたものである（図６（ｂ）、図９参照）。尚、この押込棒６０に代えて、全ねじボルトからなる押込棒を用いてもよい。
【００２６】
そして、閉塞プラグ５０を押込棒６０で押し込んで貫通孔４１内を移動させる。この移動の時には、円盤状の栓体５３の周縁近傍が後側に屈曲され、この状態で貫通孔４１内を閉塞プラグ５０が移動する。閉塞プラグ５０は最終的に貫通孔４１の先端近傍に配置される。また、貫通孔４１には筒状のスペーサー７０を挿入し、スペーサー７０を押込棒６０の周囲に配置すると共に、スペーサー７０の先端部をアウター部材５２の後端部に当接させる（図６（ｂ）、図８参照）。尚、貫通孔４１の孔径と拡開前のアウター部材５２の外径とがほぼ同一でアウター部材５２が貫通孔４１内を移動しにくい場合等には、閉塞プラグ５０の押込棒６０による押し込みと同時に、スペーサー７０でアウター部材５２の後端部を押圧してアウター部材５２を押し込むことにより、閉塞プラグ５０を移動して所定位置に配置するようにしてもよい。
【００２７】
閉塞プラグ５０を貫通孔４１の先端近傍に配置すると、図６（ｃ）及び図９（ａ）に示すように、栓体５３が貫通孔４１から抜け出し、栓体５３は弾性復帰して貫通孔４１の先端外側で拡大し、貫通孔４１の先端開口４１１よりも大きな径の円盤状となって先端開口４１１を閉塞可能となる。
【００２８】
その後、図６（ｃ）、（ｄ）、図９（ｂ）に示すように、押込棒６０の後側雄ねじ６２にワッシャー８２を介してナット８１を螺合し、ワッシャー８２にスペーサー７０の後端と当接した状態で、ナット８１を回転して押込棒６０を後退させると共に、押込棒６０に連結されているインナー部材５１をアウター部材５２内に引き込む。このインナー部材５１の引き込みにより、栓体５３の貫通孔４１の先端開口４１１に対応する部位が貫通孔４１の内側に突出するように変形しながら、栓体５３が先端開口４１１の周辺に密着して貫通孔４１を閉塞すると共に、インナー部材５１の漸次拡径するテーパ面がアウター部材５２内に入り込み、各弧状板５２１がコイルスプリング５２４の押圧に抗して外側に拡がり、アウター部材５２が拡開する。アウター部材５２の拡開により、アウター部材５２の外周部、即ち弧状板５２１の螺旋溝５２３の構成部分以外の外周面やコイルスプリング５２４が壁１４内に食い込み、アウター部材５２が壁１４に定着する。
【００２９】
上記インナー部材５１の引き込みは、ナット８１の回転による押込棒６０の後退に加え、栓体５３に負荷される水圧Ｐにより促進されてスムーズに行われ、更に、この水圧Ｐによってインナー部材５１の引き込む力及びアウター部材５２の拡開する力が増加し、アウター部材５２の定着強度及びアウター部材５２の拡開による貫通孔４１の略閉塞状態の安定性が高められる。更に、押込棒６０の後退、インナー部材５１の引き込みの際には、アウター部材５２の後端部を筒状のスペーサー７０で押さえることが可能であるから、アウター部材５２の外径よりも貫通孔４１の孔径が大きくてアウター部材５２の外周に隙間がある場合にも、アウター部材５２を貫通孔４１の先端近傍の所定位置に定置させて拡開することができる。
【００３０】
また、水圧Ｐによっては、貫通孔４１の先端外側で拡大した栓体５３の先端開口４１１の内側への突出変形、栓体５３の先端開口４１１の周辺への密着による貫通孔４１の閉塞、インナー部材５１のアウター部材５２内への入り込み、アウター部材５２の拡開は、ナット８１の回転によるインナー部材５１の引き込みより前にある程度生じ、その後のナット８１の回転及び押込棒６０の後退によるインナー部材５１の引き込みにより、これらが促進され、強化される。
【００３１】
次いで、図７（ａ）、（ｂ）に示すように、ナット８１及び押込棒６０を押込棒６０の後退時のナット８１の回転と逆方向に回転し、インナー部材５１の押込棒６０との連結を外し、貫通孔４１から押込棒６０とスペーサー７０を抜き出して回収する。押込棒６０を外された閉塞プラグ５０は、拡開したアウター部材５２が壁１４に食い込んで定着したままの状態となる。
【００３２】
その後、図７（ｃ）〜（ｅ）に示すように、貫通孔４１内で定着した閉塞プラグ５０の後側に例えば充填材２４としてセメントモルタルが収容され水Ｗ１に浸漬された充填材カプセル２２を挿入し、貫通孔４１内に剪断補強材２３を挿入して剪断補強材２３の先端部で充填材カプセル２２を突き破って破断させ、貫通孔４１内に充填材２４を充填して固化させる。この時、充填材カプセル２２が剪断補強材２３で押し込まれるように力を受けて破断するので、充填材２４は閉塞プラグ５０の後側に充填されると共に、弧状板５２１・５２１の間などアウター部材５２の隙間を抜けて、アウター部材５２と栓体５３との間の隙間や、閉塞プラグ５０の外周の隙間にも充填される。貫通孔４１内で閉塞プラグ５０の後側に剪断補強材２３を埋設した充填材２４の充填固化により、貫通孔４１が確実に閉塞されて止水され、且つ剪断補強構造が構築される。
【００３３】
第１実施形態によれば、貫通孔４１の先端開口４１１を栓体５３で閉塞して貫通孔４１内への漏水を防止し、更に、インナー部材５１と拡開されるアウター部材５２と充填固化される充填材２４により、仮に栓体５３の閉塞から貫通孔４１内に漏水した水Ｗがあったとしてもその漏水がインナー部材５１を押せばその分だけアウター部材５２の拡開力が増して貫通孔４１を一層確実に止水するため、僅かの漏水でも施工面側に流れることを防止できる。従って、剪断補強用の長孔２１を誤って貫通させたときに、貫通孔４１から施工面側に水Ｗの流体が噴出することを確実に防止することができる。また、貫通孔４１を先端近傍で閉塞することが可能であり、貫通孔４１を剪断補強用の長孔として再使用することを可能にし、剪断補強工事の作業効率の向上と施工コストの低減を図ることができる。更に、インナー部材５１に着脱自在に連結される押込棒６０によって閉塞プラグ５０を貫通孔４１の所要位置に容易に配置することができ、且つ配置後には押込棒６０を回収して容易に貫通孔４１の剪断補強工事を行うことができる。
【００３４】
また、スペーサー７０を用いることにより、貫通孔４１の孔径よりアウター部材５２の外径が小さい場合にも、アウター部材５２の回転や位置ズレを防止し、インナー部材５１のスムーズな引き込みやアウター部材５２の所定位置での拡開を行うことができる。また、複数の弧状板５２１・５２１をコイルスプリング５２４で結束して構成するアウター部材５２により、アウター部材５２をより均一に放射状に拡開して壁１４内に食い込ませることができ、アウター部材５２とインナー部材５１の閉塞の均一性を高めることができる。また、コイルスプリング５２４により、アウター部材５２の取扱時の意図しない拡開を確実に防止できる。また、アウター部材５２では外周面の凹凸でより壁１４に食い込み易くすることができる。
【００３５】
〔第２、第３実施形態の閉塞プラグを用いる貫通孔修復工法〕
次に、本発明による第２、第３実施形態の閉塞プラグを用いる貫通孔修復工法について説明する。
【００３６】
第２実施形態の閉塞プラグ５０ａは、第１実施形態の閉塞プラグ５０と同一構成のインナー部材５１、栓体５３、取付ボルト５４を有するが、アウター部材５２ａの構成が相違する。アウター部材５２ａは、筒状部材であり、先端側から軸方向に延びる複数のスリット５２６ａが切り込まれて形成され、スリット５２６ａ・５２６ａ間の各羽根部５２９ａが放射状に拡開するようになっている。各羽根部５２９ａには、内側前部に前方に向かって拡がるように傾斜する傾斜面５２２ａが形成され、各傾斜面５２２ａでインナー部材５１のテーパ状の外周面を押圧するようになっている。また、アウター部材５２ａの外周面には、軸方向に所定間隔を開けて周溝５２５ａが形成されている。
【００３７】
第３実施形態の閉塞プラグ５０ｂは、第１実施形態の閉塞プラグ５０におけるインナー部材５１と基本的に同一構成で、先端側の端部に僅かに縮径する部分を有するインナー部材５１を有し、更に、第１実施形態と同一の栓体５３、取付ボルト５４を有するが、アウター部材５２ｂの構成が相違する。
【００３８】
アウター部材５２ｂは、筒状部材であり、先端側から軸方向に延びる複数のスリット５２６ｂが切り込まれて形成され、スリット５２６ｂ・５２６ｂ間の各羽根部５２９ｂが放射状に拡開するようになっている。各羽根部５２９ｂには、内側前部に前方に向かって拡がるように傾斜する傾斜面５２２ｂが形成され、各傾斜面５２２ｂでインナー部材５１のテーパ状の外周面を押圧するようになっている。また、アウター部材５２ｂの外周面は基本的に平滑であるが、先端寄りの位置に周溝５２７ｂが形成されており、周溝５２７ｂにＣリング５２８ｂが嵌め込まれている。
【００３９】
第２、第３実施形態の閉塞プラグ５０ａ、５０ｂも、第１実施形態の閉塞プラグ５０に代えて、第１実施形態の貫通孔修復工法と同様の工法に適用することができる。
【００４０】
第２、第３実施形態によれば、貫通孔４１のより先端側でアウター部材５２ａ、５２ｂをより広く拡開して壁１４内に食い込ませて、アウター部材５２ａ、５２ｂとインナー部材５１で閉塞することが可能となり、施工対象の壁や剪断補強工事の多様性に資する。また、部品点数を減らして製造コストを低減することができる。また、筒状部材とすることにより、取扱い時に手を伐る等の危険性を低減し、安全性を高めることができる。また、第１実施形態と対応する構成により、対応する効果を奏する。
【００４１】
また、第２実施形態によれば、より少ない力でアウター部材５２ａを拡開することができる。また、第３実施形態によれば、アウター部材５２ｂの取扱時の意図しない拡開をＣリング５２８ｂで確実に防止できる。
【００４２】
〔実施形態の変形例等〕
本明細書開示の発明は、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００４３】
例えば上記実施形態では、閉塞プラグ５０等で止める流体を水の場合で説明したが、流体の種類は淡水、海水の他に石油など他の液体、或いは気体など適宜であり、又、対象とする構造物の壁１４は沈埋トンネルの周壁など各種構造物の壁とすることができる。また、インナー部材５１、アウター部材５２、栓体５３、押込棒６０等の形状や、相互の取付構造等は本発明の趣旨の範囲内で適宜であり、例えば水膨張性のゴムで形成する球体の栓体とすることも可能である。また、弧状板５２１、羽根部５２９ａ、５２９ｂ等の個数は２個以上の複数であれば適宜である。
【００４４】
また、アウター部材をアウター部材５２ａ、５２ｂのような筒状部材とする場合のスリットの深さ、インナー部材５１のテーパ状の外周面とアウター部材５２の傾斜面５２２等の傾斜角度は、アウター部材が所要の拡開ができるものであれば適宜である。
【産業上の利用可能性】
【００４５】
本発明は、片面側で水等と接触する構造物の壁に施工面側から穿孔して剪断補強を施す際に、孔を貫通してしまった場合に貫通孔を閉塞し、水等が貫通孔から施工面側に流入することを防止する際に利用することができる。
【符号の説明】
【００４６】
１０…貯水槽  １１…本体  １２…上板  １３…流通孔  １４…壁  １４１…施工面  １４２…内側面  １４３…本来の孔底  ２１…長孔  ２２…充填材カプセル  ２３…剪断補強材  ２４…充填材  ３１…貯水トレー  ４１…貫通孔  ４１１…先端開口  ５０、５０ａ、５０ｂ…閉塞プラグ  ５１…インナー部材  ５１１、５１２…雌ねじ  ５２、５２ａ、５２ｂ…アウター部材  ５２１…弧状板  ５２２、５２２ａ、５２２ｂ…傾斜面  ５２３…螺旋溝  ５２４…コイルスプリング  ５２５ａ、５２７ｂ…周溝  ５２６ａ、５２６ｂ…スリット  ５２８ｂ…Ｃリング  ５２９ａ、５２９ｂ…羽根部  ５３…栓体  ５４…取付ボルト  ５４１…雄ねじ  ６０…押込棒  ６１…前側雄ねじ  ６２…後側雄ねじ  ７０…スペーサー  ８１…ナット  ８２…ワッシャー  Ｗ、Ｗ１…水  Ｐ…水圧  ＬＷ…漏水
【図１】
0005835999.tif 000002
【図２】
0005835999.tif 000003
【図３】
0005835999.tif 000004
【図４】
0005835999.tif 000005
【図５】
0005835999.tif 000006
【図６】
0005835999.tif 000007
【図７】
0005835999.tif 000008
【図８】
0005835999.tif 000009
【図９】
0005835999.tif 000010
【図１０】
0005835999.tif 000011